(57)【要約】【課題】製造が容易で、コストの低減をはかることができ、更に使用時に不具合が発生しずらい構成のブラシを提供すること。【解決手段】塵取りブラシは、ブラシベース４と、ブラシベース４を収納するためのソケットとから構成されており、ブラシベース４には、ソケット３の収容部３１にブラシベース４をはめ込むためのはめ込み部が設けてある。はめ込み部を構成する波形片４３３にはプッシュボタン基部４３１が突設されており、このプッシュボタン基部４３１がソケットに形成されているスライドスロットに沿って摺動し、ブラシ部４１をソケットに収納したり、使用に供するよう押し出したりする。ブラシ保持部には、ブラシ保持レバー４２１が設けられており、ブラシ締め付けレバー４２１が係合する係合部４２２の間にブラシ部４１を挟持する。ブラシ締付レバー４２１の一端にはラッチ部４２５が形成されており、これが係合部４２２に形成されたフック部４２３に挿嵌され、ブラシ部４１がブラシベース４に取り付けられる。【選択図】図１
0003105597.tif 000002
【実用新案登録請求の範囲】
【請求項１】
収納ケースと、前記収納ケースに対して着脱自在なブラシベースとにより構成されたブラシであって、前記ブラシベースは、ブラシ部と、前記ブラシ部を保持するためのブラシ保持部と、前記ブラシベースを前記収納ケースにはめ込むためのはめ込み部と、前記はめ込み部に形成されたプッシュボタンとを有し、前記収納ケースは、前記ブラシベースを収納可能な収納部を有するとともに、前記プッシュボタンが摺接するスライドスロットが形成されたブラシにおいて、
前記ブラシ保持部は、ブラシ締め付け部材と、前記ブラシ締め付け部材と係合可能な係合部及び前記ブラシ締め付け部材を前記係合部にラッチするためのラッチ部とを有する保持部本体と、を有し、前記ブラシ部は前記ブラシ締め付け部材と前記係合部に挟持されていることを特徴とするブラシ。
【請求項２】
前記ブラシ締め付け部材は前記保持部本体の一部に揺動可能に取り付けられており、前記ラッチ部は前記保持部本体の他の部分に形成されていることを特徴とする請求項１記載のブラシ。
【請求項３】
前記ブラシ締め付け部材と前記係合部それぞれの係合面には鋸状歯が形成されており、前記ブラシ締め付け部材が前記係合部にラッチされたとき、前記ブラシ締め付け部材と前記係合部それぞれの鋸状歯が噛合することを特徴とする請求項１若しくは２のいずれか一項に記載のブラシ。
【請求項４】
前記スライドスロットには、前記スライドスロットが延びる方向に沿って定位用キャチアークのペアが複数順次形成されており、定位用キャッチアークの各ペアは前記スライドスロットが延びる方向と直交する方向に形成されていることを特徴とする請求項１乃至３のいずれか一項に記載のブラシ。
【請求項５】
前記プッシュボタンには係止部が、また前記収納ケースには係止壁が形成されており、前記プッシュボタンの前記係止部が前記収納ケースの前記係止壁に当接することで前記プッシュボタンの前記スライドスロットに沿った摺動を規制するようにしたことを特徴とする請求項１乃至４のいずれか一項に記載のブラシ。
【請求項６】
ブラシ部と、前記ブラシ部を保持するためのブラシ保持部とを有するブラシにおいて、
前記ブラシ保持部は、ブラシ締め付け部材と、前記ブラシ締め付け部材と係合可能な係合部及び前記ブラシ締め付け部材を前記係合部にラッチするためのラッチ部とを有する保持部本体と、を有し、前記ブラシ部は前記ブラシ締め付け部材と前記係合部に挟持されていることを特徴とするブラシ。
【請求項７】
前記ブラシ締め付け部材は前記保持部本体の一部に揺動可能に取り付けられており、前記ラッチ部は前記保持部本体の他の部分に形成されていることを特徴とする請求項６記載のブラシ。
【請求項８】
前記ブラシ保持部に連接して設けられた把持部を有することを特徴とする請求項７記載のブラシ。
【考案の詳細な説明】
【技術分野】
【０００１】
本考案はブラシに関し、特に、机、コンピューターのキーボード、ＯＡ機器、テレビ等の塵をとるための塵取りブラシに関する。
【背景技術】
【０００２】
従来の塵取りブラシとしては、同一出願人による特許文献１に開示されているような構成のものが知られている。この従来の塵取りブラシについて図１１及び図１２を参照しながら説明する。
【０００３】
図１１に示されているように、従来の塵取りブラシは、中空円筒状の収納ケース１とブラシベース２とからなり、不使用時にはブラシベース２を収納ケース１内に収容し、使用時には収納ケース１から突出させて収納ケース１を把持部として機能させる構成になっている。収納ケース１の周面長手方向にはスライドスロット１１が形成されており、スライドスロット１１の一端部で収納ケース１の略中央部にはスライドスロット１１と連通する円形状のスロット１２が形成されている。
【０００４】
ブラシベース２は、ブラシ保持部２２と、ブラシ保持部２２に取り付けられたブラシ部２１と、上部弾性プレート２３及び下部弾性プレート２４からなるはめ込み部と、プッシュボタン２５とから構成されている。ブラシ保持部２２は中空円筒形状であり、一端側でブラシ部２１を束ねて保持し、他端側には上部弾性プレート２３及び下部弾性プレート２４からなるはめ込み部が形成されている。上部弾性プレート２３と下部弾性プレート２４は、ブラシ保持部２２と一体に形成されており、ブラシ保持部２２の円筒形状と同じ曲率の湾曲面で構成されている。
【０００５】
上部弾性プレート２３上にはプッシュボタン２５が突設されている。ブラシ保持部２２と、上部弾性プレート２３及び下部弾性プレート２４からなるはめ込み部の外径は、収納ケース１の内径よりもわずかに小さく、よって、ブラシベース２は収納ケース１内部に挿入可能であって、かつ、収納ケース１の長手方向に摺動可能となっている。ブラシベース２を収納ケース１内部に収納する際、プッシュボタン２５が障害となるが、上側弾性プレート２３の弾性力に抗して、プッシュボタン２５を押下することにより収納可能となる。
【０００６】
押下した状態にあるプッシュボタン２５は、スロット１２の直下位置で押下状態から解放され、プッシュボタン２５の頭部がスロット１２から収納ケース１の外側に突出する。プッシュボタン２５の首部はスライドスロット１１に沿って摺動可能な形状となっている。
【０００７】
プッシュボタン２５をスライドスロット１１に沿って摺動し、ブラシ部２１を収納ケース１から押し出すことにより、塵取りブラシは使用可能な状態となる。ブラシ部２１を収納ケース１から完全に押し出したところで、プッシュボタン２５はスロット１２で係止される。従って、ブラシ部２１が収納ケース１から離脱することはない。使用した後は、プッシュボタン２５をスライドスロット１１に沿って反対方向に摺動し、ブラシ部２１を収納ケース１の内部に収納する。
【考案の開示】
【考案が解決しようとする課題】
【０００８】
しかしながら、従来の塵取りブラシは、図１２に示されているように、ブラシ部２１の一端部を鉄線２６により束ねて束部を形成し、この束部をブラシ保持部２２に固定しているので、製造に時間と手間がかかるという問題がある。また、鉄線２６を用いてブラシ部２１を束ねているので、コストも高くなってしまうという問題がある。
【０００９】
更に、図１３に示されているように、プッシュボタン２５を押下しながらブラシ部２１を収納ケース１に収納する際、プッシュボタン２５の頭部がスロット１２からスライドスロット１１への移行部分１３で収納ケース１の内側に入り込んでしまう場合がある。このような状態になると、プッシュボタン２５をスライドスロット１１に沿って摺動させることができず、ブラシ部２を収納することができないという問題もある。
【特許文献１】米国特許第６２２６８２８号明細書
【課題を解決するための手段】
【００１０】
本考案は、上記事情に鑑み、製造が容易で、コストの低減をはかることができ、更に使用時に不具合が発生しずらい構成のブラシを提供することを目的としてなされたものである。
【００１１】
上記目的を達成するためになされた請求項１記載のブラシは、収納ケースと、収納ケースに対して着脱自在なブラシベースとにより構成されたブラシであって、ブラシベースは、ブラシ部と、ブラシ部を保持するためのブラシ保持部と、ブラシベースを収納ケースにはめ込むためのはめ込み部と、はめ込み部に形成されたプッシュボタンとを有し、収納ケースは、ブラシベースを収納可能な収納部を有するとともに、プッシュボタンが摺接するスライドスロットが形成されている。ブラシ保持部は、ブラシ締め付け部材と、ブラシ締め付け部材と係合可能な係合部及びブラシ締め付け部材を係合部にラッチするためのラッチ部とを有する保持部本体と、を有し、ブラシ部はブラシ締め付け部材と係合部に挟持されていることを特徴としている。
【００１２】
請求項２記載のブラシは、請求項１記載のブラシのブラシ締め付け部材が保持部本体の一部に揺動可能に取り付けられており、ラッチ部が保持部本体の他の部分に形成されていることを特徴としている。
【００１３】
請求項３に記載のブラシは、請求項１若しくは２のいずれか一項に記載のブラシのブラシ締め付け部材と係合部それぞれの係合面に鋸状歯が形成されており、ブラシ締め付け部材が係合部にラッチされたとき、ブラシ締め付け部材と係合部それぞれの鋸状歯が噛合することを特徴としている。
【００１４】
請求項４に記載のブラシは、請求項１乃至３のいずれか一項に記載のブラシのスライドスロットに、スライドスロットが延びる方向に沿って定位用キャチアークのペアが複数順次形成されており、定位用キャッチアークの各ペアはスライドスロットが延びる方向と直交する方向に形成されていることを特徴としている。
【００１５】
請求項５に記載のブラシは、請求項１乃至４のいずれか一項に記載のブラシのプッシュボタンには係止部が、また収納ケースには係止壁が形成されており、プッシュボタンの係止部が収納ケースの係止壁に当接することでプッシュボタンのスライドスロットに沿った摺動を規制するようにしたことを特徴としている。
【００１６】
請求項６に記載のブラシは、ブラシ部と、ブラシ部を保持するためのブラシ保持部とを有するブラシにおいて、ブラシ保持部は、ブラシ締め付け部材と、ブラシ締め付け部材と係合可能な係合部及びブラシ締め付け部材を係合部にラッチするためのラッチ部とを有する保持部本体と、を有し、ブラシ部はブラシ締め付け部材と係合部に挟持されていることを特徴としている。
【００１７】
請求項７に記載のブラシは、請求項６記載のブラシのブラシ締め付け部材が保持部本体の一部に揺動可能に取り付けられており、ラッチ部が保持部本体の他の部分に形成されていることを特徴としている。
【００１８】
請求項８に記載のブラシは、請求項７に記載のブラシ保持部に連接して設けられた把持部を有していることを特徴としている。
【考案の効果】
【００１９】
請求項１記載の考案によれば、ブラシ部をブラシ締め付け部材と係合部に挟持される構造としたので、製造が容易であり、かつ、安価に製造することすることするできる。また、ブラシの使用を繰り返した結果ブラシ部が汚れた場合には、ブラシ締め付け部材のラッチを解除することでブラシ部を簡単に取りはずして洗うことができ、また、新しいものと交換することも容易に行うことができる。
【００２０】
請求項２記載の考案によれば、ブラシ締め付け部材が保持部本体の一部に揺動可能に取り付けられており、ラッチ部が保持部本体の他の部分に形成されているので、ブラシ部をブラシ締め付け部材と係合部の間に配置した状態でブラシ締め付け部材をラッチ部にラッチするだけでブラシ部をブラシ保持部に固定することができる。
【００２１】
請求項３に記載の考案によれば、ブラシ締め付け部材と係合部それぞれの係合面に互いに噛合する鋸状歯が形成されているので、ブラシ部をしっかりと保持することができる。
【００２２】
請求項４に記載の考案によれば、スライドスロットに、スライドスロットが延びる方向に沿って定位用キャチアークのペアが複数順次形成されているので、ブラシ部を収納ケースから異なる長さで押し出して使用することができる。
【００２３】
請求項５に記載の考案によれば、プッシュボタンの係止部が収納ケースの係止壁に当接することでプッシュボタンのスライドスロットに沿った摺動を規制するようにしたので、プッシュボタンを強く押しても、スライドスロットに引っ掛からないで済み、更に前後にプッシュボタンをスライドする際にもスムーズな操作が可能となる。
【００２４】
請求項６に記載の考案によれば、ブラシ部をブラシ締め付け部材と係合部に挟持される構造としたので、製造が容易であり、かつ、安価に製造することすることするできる。また、ブラシの使用を繰り返した結果ブラシ部が汚れた場合には、ブラシ締め付け部材のラッチを解除することでブラシ部を簡単に取りはずして洗うことができ、また、新しいものと交換することも容易に行うことができる。
【００２５】
請求項７に記載の考案によれば、ブラシ締め付け部材が保持部本体の一部に揺動可能に取り付けられており、ラッチ部が保持部本体の他の部分に形成されているので、ブラシ部をブラシ締め付け部材と係合部の間に配置した状態でブラシ締め付け部材をラッチ部にラッチするだけでブラシ部をブラシ保持部に固定することができる。
【００２６】
請求項８に記載の考案によれば、ブラシ保持部に連接して把持部が設けられているので、ブラシの使用がしやすくなる。
【考案を実施するための最良の形態】
【００２７】
本考案にかかるブラシの第１の実施の形態を図１〜図６を参照しながら説明する。本実施の形態は、本考案のブラシを机、コンピュータのキーボード等の塵取り用に使用する塵取りブラシに適用したものである。図１は塵取りブラシのブラシ部４１とブラシベース４の分解斜視図、図２はブラシ部４１をブラシベース４に取付ける状態を示した斜視図、図３はブラシ部４１をブラシベース４に取付けた状態を示す斜視図、図４は塵取りブラシ全体の分解斜視図、図５はブラシ部４１の収納ケースとしてのソケット３からブラシ部４１が押し出されている状態を示した斜視図、図６はブラシ部４１がソケット３に収納されている状態を示した斜視図である。
【００２８】
図４に示されているように、第１の実施の形態にかかる塵取りブラシは、収納ケースたるソケット３と、ソケット３に対して着脱自在なブラシベース４により構成されている。
【００２９】
ソケット３は、ブラシベース４を収容するための収納部３１が形成された箱形形状の中空体で、一端面がブラシベース４を受け入れるために開放されている。ソケット３の上面にはスライドスロット３２が形成されており、スライドスロット３２が延びる方向に沿って定位用キャチアーク３２１のペアが複数順次形成されている。定位用キャッチアーク３２１の各ペアはスライドスロット３２が延びる方向と直交する方向に形成されている。後述するブラシベース４のプッシュボタン基部４３１をスライドスロット３２から外方に突出させ、プッシュボタン基部４３１にプッシュボタン５を係合し、プッシュボタン５をスライドスロット３２に沿って摺動させることによりブラシ部４１をソケット３の収納部３１に収納したり（図６参照）、収納部３１から突出させて使用状態とすることができる（図５参照）。
【００３０】
ソケット３の上面で、スライドスロット３２を含む所定領域にはプッシュボタン５が係合可能な凹部が形成されている。円形のプッシュボタン５の外周面５１がこの凹部側壁に摺接しながらスライドスロット３２に沿って移動することができ、プッシュボタン５の移動は当該凹部の両端部が係止壁となってその移動が規制される。
【００３１】
図１に示すように、ブラシベース４は、ブラシ部４１と、ブラシ部４１を保持するためのブラシ保持部４２と、ブラシベース４をソケット３にはめ込むためのはめ込み部４３とから構成されている。ブラシ保持部４２とはめ込み部４３は一体構成となっている。ブラシ部４１は、同一長さの複数本のブラシの毛を切断面が略長方形になるように束ね、後述するように、中央位置４１１で折り畳んだ形でブラシ保持部４２に取り付ける（図２参照）。ブラシ保持部４２は、ブラシ締め付けレバー４２１と、ブラシ締め付けレバー４２１と係合可能な係合部４２２とからなる。ブラシ締め付けレバー４２１には、鋸刃状の締め付け部４２４が形成されており、一端部にラッチ部４２５が形成されている。ブラシ締め付けレバー４２１の他端部は、本実施の形態では、係合部４２２の端部に揺動可能に取り付けられている。
【００３２】
係合部４２２は、ブラシ締め付けレバー４２１と噛合する鋸刃状の締め付け部を有し、ブラシ締め付けレバー４２１と協働してブラシ部４１を挟持する。係合部４２２は、ブラシベース４の本体に形成された凹部に形成されており、端部にブラシ締め付けレバー４２１のラッチ部４２５が挿嵌されるフック部４２３が形成されている。
【００３３】
はめ込み部４３は、ブラシ保持部４２の反対側に延びる複数の波形片４３２，４３３で構成されており、これら波形片４３２，４３３の外側面を連ねて形成される外周面の輪郭はソケット３の収納部３１の形状に対応している。はめ込み部４３の上面は３本の波形片で構成されている。このうち中央の波形片４３３は他の波形片４３２よりも長く、その先端にプッシュボタン基部４３１が突設されている。はめ込み部４３の下面は２本の波形片４３２で、また両側面はそれぞれ１枚の波形片４３２で構成されている。
【００３４】
本実施の形態による塵取りブラシのブラシ部４１はブラシベース４のブラシ締付レバー４２１を利用して取り付けることができるので、製造及び取付けが容易である。又、ブラシ部４１が汚くなった場合は、フック部４２３からブラシ締付レバー４２１のラッチ部４２５を外して、簡単にブラシ部４１を取り出して洗うことができ、また、新しいものと交換することも容易に行うことができる。
【００３５】
更に、スライドスロット３２に複数ペアの定位用のキャッチアーク３２１が設けられているので、ブラシ部４１を異なる長さで押し出すことができる。更に、プッシュボタン５の外周面５１は、スライドスロット３２を含む所定領域に形成された凹部側壁に摺接しながら移動するので、プッシュボタン５を強く押してもスライドスロット３２に引っ掛かることがなく、プッシュボタン５の摺動をスムーズに行うことができる。
【００３６】
次に、本考案にかかるブラシの第２の実施の形態を図７〜図１０を参照しながら説明する。第２の実施の形態にかかるブラシも、第１の実施の形態にかかるブラシと同様、机、コンピューターのキーボード等の塵取り用のものである。図７は、本考案の第２の実施の形態による塵取りブラシの分解斜視図、図８と図９は、塵取りブラシのブラシ取付状態を示す斜視図、図１０は、塵取りブラシのラッチ部の拡大斜視図である。
【００３７】
第２の実施の形態による塵取りブラシは、ブラシ部４１を収納する収納部がない点で第１の実施の形態による塵取りブラシと異なるが、第１の実施の形態のブラシ保持部４２と基本的に同様の構成が第２の実施の形態による塵取りブラシにも採用されている点で共通性がある。
【００３８】
図７及び図８に示すように、本実施の形態によるブラシベース６は取っ手６１がブラシ保持部６２と一体に構成されている。ブラシ保持部６２は、ブラシ締め付けレバー６２１と、ブラシ締め付けレバー６２１と係合可能な係合部６２２とからなり、ブラシ締め付けレバー６２１の一端部は係合部６２２の端部に揺動可能に取り付けられている。ブラシ締め付けレバー６２１の他端部にはラッチ部６２４が形成されており、係合部６２２の端部に形成されているフック部６２３に挿嵌可能となっている。第１の実施の形態と同様に、係合部６２２とブラシ締め付けレバー６２１は協働してブラシ部４１を挟持する。本実施の形態では、係合部６２２とブラシ締め付けレバー６２１それぞれの挟持面には、鋸歯状の凹凸は形成されておらず、図７に示すように、ブラシ締め付けレバー６の挟持面は平坦であり、係合部６２２の挟持面には溝が形成されている。
【００３９】
ブラシ保持部６２にブラシ部４１を取り付けるには、ブラシ部４１の中央位置４１１を係合部６２２上に位置あわせし、ブラシ締付レバー６２１を揺動して（図８参照）、ラッチ部６２４をフック部６２３に留めることによって、ブラシ部４１を係合部６２２とブラシ締め付けレバー６２１とで挟持する (図９及び図１０参照)。
【００４０】
以上のように、ブラシ部４１はブラシ保持部６のブラシ締付レバー６２１を利用して取り付けられるので、製造及び取付けが容易である。又、ブラシ部４１が汚くなった場合は、フック部分６２３から締付レバー６２１のラッチ部６２４を外して、簡単にブラシ部４１を取り出して洗うことができ、また、新しいものと交換することも容易に行うことができる。更に、本実施の形態による塵取りブラシは、取っ手６１を握って塵や埃を払うことができるので、作業を楽に行うことができる。
【００４１】
本考案によるブラシは、上述した実施の形態に限定されず、特許請求の範囲に記載した範囲で種々の変形や改良が可能である。例えば、上記実施の形態では、ブラシ締め付けレバーはブラシベース本体に揺動可能に取り付けられているが、ブラシベースとは別体としてもよい。また、ブラシ部４の材質については特に言及していないが、ブラシの用途に応じた材質を選定できることは言うまでもない。特に、塵取りブラシとして使用する場合には、静電気除去効果のある材質のブラシ部４を用いるのが好適である。
【産業上の利用可能性】
【００４２】
本考案にかかるブラシは、机、コンピューターのキーボード、ＯＡ機器、テレビ等の塵をとるための塵取りブラシとして利用することができる他、ブラシ部の素材を適宜選定することにより種々の分野で広範に利用することができる。
【図面の簡単な説明】
【００４３】
【図１】本考案の第１の実施の形態による塵取りブラシのブラシ部とブラシベースの分解斜視図。
【図２】本考案の第１の実施の形態によるブラシ部を保持ユニットに取付ける状態を示した斜視図。
【図３】本考案の第１の実施の形態によるブラシ部を保持ユニットに取付けた状態を示す斜視図。
【図４】本考案の第１の実施の形態による塵取りブラシ全体の分解斜視図。
【図５】本考案の第１の実施の形態によるブラシ部の収納ケースとしてのソケットからブラシ部が押し出されている状態を示した斜視図。
【図６】本考案の第１の実施の形態によるブラシ部がソケットに収納されている状態を示した斜視図。
【図７】本考案の第２の実施の形態による塵取りブラシの分解斜視図。
【図８】本考案の第２の実施の形態による塵取りブラシのブラシ取付状態を示す斜視図。
【図９】本考案の第２の実施の形態による塵取りブラシのブラシ取付状態を示す斜視図。
【図１０】本考案の第２の実施の形態による塵取りブラシのラッチ部の拡大斜視図。
【図１１】従来の塵取りブラシを示す分解斜視図。
【図１２】従来の塵取りブラシの操作不良状態を示す断面図。
【図１３】従来の塵取りブラシの操作不良状態を示す断面図。
【符号の説明】
【００４４】
１    収納ケース
１１  スライドスロット
１２  スロット
２    ブラシベース
２１  ブラシ部
２２  ブラシ保持部
２３  上側弾性プレート
２４  下部弾性プレート
２５  プッシュボタン
２６  鉄線
３    ソケット
３１  収納部
３２  スライドスロット
３２１    定位用キャッチアーク
４    ブラシベース
４１  ブラシ部
４１１    中央位置
４２  ブラシ保持部
４２１    レバー
４２２    係合部
４２３    フック部
４２４    締付レバー
４２５    ラッチ部
４３  はめ込み部
４３１    プッシュボタン基部
４３２    波形片
４３３    波形片
５    プッシュボタン
５１  外周面
５１３    フック部分
５２  締付レバー
５２２    ラッチ部分
６    ブラシ保持部
６１  手
６２  ブラシ保持部
６２１    ブラシ締付レバー
６２２    係合部
６２３    フック部
６２４    ラッチ部
【図１】
0003105597.tif 000003
【図２】
0003105597.tif 000004
【図３】
0003105597.tif 000005
【図４】
0003105597.tif 000006
【図５】
0003105597.tif 000007
【図６】
0003105597.tif 000008
【図７】
0003105597.tif 000009
【図８】
0003105597.tif 000010
【図９】
0003105597.tif 000011
【図１０】
0003105597.tif 000012
【図１１】
0003105597.tif 000013
【図１２】
0003105597.tif 000014
【図１３】
0003105597.tif 000015